(57)【要約】【課題】ディスクを確実、かつ容易に保持して取り出すことができ、汚れ、傷による記録データの損失、信頼性低下を防ぐことが可能なディスクカートリッジを提供する。【解決手段】ディスクカートリッジは、第１ハーフシェル１４と、第１ハーフセルに対して開閉自在に設けられた第２ハーフシェル１６と、を備え、内部に光ディスク１２が収納されている。第１ハーフシェルは、光ディスクの一方の表面と対向した主壁と、主壁の周縁に沿って立設され光ディスクの周縁に対向した側壁２０と、側壁および主壁に形成され、光ディスクの周縁を越えて光ディスクの中心側へ延出し、光ディスク周縁部の一部を露出した切欠き２４と、を有している。【選択図】　　図２
2004079014.tif 000002
【特許請求の範囲】
【請求項１】
第１ハーフシェルと、この第１ハーフセルに対して開閉自在に設けられた第２ハーフシェルと、を備え、内部に光ディスクを収納したディスクカートリッジにおいて、
上記第１ハーフシェルは、上記光ディスクの一方の表面と対向した主壁と、主壁の周縁に沿って立設され上記光ディスクの周縁に対向した側壁と、上記側壁および主壁に形成され、上記光ディスクの周縁を越えて光ディスクの中心側へ延出し、上記光ディスク周縁部の一部を露出した切欠きと、を有していることを特徴とするディスクカートリッジ。
【請求項２】
第１ハーフシェルと、この第１ハーフセルに対して開閉自在に設けられた第２ハーフシェルと、を備え、内部に光ディスクを収納したディスクカートリッジにおいて、
上記第１ハーフシェルは、上記光ディスクの一方の表面と対向した主壁と、主壁の周縁に沿って立設され上記光ディスクの周縁に対向した側壁と、それぞれ上記側壁および主壁に形成され、上記光ディスクの周縁を越えて光ディスクの中心側へ延出し、上記光ディスク周縁部の一部を露出した一対の切欠きと、を有し、上記一対の切欠きは上記光ディスクの中心の両側に位置していることを特徴とするディスクカートリッジ。
【請求項３】
上記第１ハーフシェルの主壁は、上記光ディスクの中心部および上記表面の一部と対向したアクセス窓を有し、
上記第２ハーフシェルは、閉塞位置において上記光ディスクの他方の表面と対向した主壁と、この主壁に形成され上記光ディスクの中心部および上記他方の表面の一部と対向したアクセス窓と、を有していることを特徴とする請求項１又は２に記載のディスクカートリッジ。
【請求項４】
上記切欠きは、上記光ディスクの中心部に向かって凸状に湾曲していることを特徴とする請求項１ないし３のいずれか１項に記載のディスクカートリッジ。
【発明の詳細な説明】
【０００１】
【発明の属する技術分野】
この発明は、光ディスクを取出し自在に収納したディスクカートリッジに関する。
【０００２】
【従来の技術】
例えば、音楽ＣＤなどに代表される一般的な再生専用の光ディスクは、保存状態ではケースに入れられる場合もあるが、再生装置への挿入、取り出し時などには裸の状態で取り扱われる。再生装置のローディング機構も裸の光ディスクを想定した構成となっている。また、ＣＤ−Ｒ／ＲＷなど記録型の光ディスクについても、再生専用の装置でデータ再生を行う際、ＣＤと同様に裸の状態で取り扱われている。
【０００３】
このような再生専用の光ディスクをケース内に収納した場合、ディスクはその中心孔の部分で支持され、ディスクの記録面はケース内面に接触しないようにケース内面から浮き上がった状態で保持される。従って、光ディスクをケースから取り出す際、ケース内面から浮き上がったディスクのエッジ部分を指で把持し、取り出すことができる。
【０００４】
これに対し、データの書き換えが可能な光ディスクは、一般に、再生専用の光ディスクに比較して傷、汚れに対するデータ記録再生の信頼性が低い。そのため、この種の光ディスクは、カートリッジにより保護された状態で取り扱われることが安全上好ましい。例えば、ハンディビデオカメラなどにおける記録装置として光ディスク装置が用いられている場合、光ディスクを屋外で取り扱う機会が多く、記録面に直接触れないで光ディスクを取り扱うためにはディスクカートリッジが必須となる。
【０００５】
カートリッジ対応型の光ディスク装置により光ディスクを再生する場合、光ディスクはカートリッジに収納された状態で装置に装填される。そして、カートリッジは、装置のローディング機構によって所定位置にローディングされ、記録再生のための光ピックアップヘッドは、カートリッジに形成されたアクセス窓を介して光ディスクの記録面にアクセスできる機構となっている。
【０００６】
また、カートリッジ非対応の光ディスク装置により光ディスクを再生する場合も考えられ、この場合には、光ディスクをカートリッジから取り出し、裸メディアとして取り扱える様にする必要がある。
【０００７】
そこで、例えば、特開平９−２１３０４２号公報には、光ディスクを取出し可能に収納したディスクカートリッジが提案されている。このディスクカートリッジは、扁平なベース部と、ベース部に介して開閉自在に取り付けられた扁平なカバー部と、を備え、これらのベース部とカバー部との間に光ディスクが収納されている。ベース部およびカバー部には、光ディスクの記録面にアクセスするためのアクセス窓が形成されている。そして、カバー部を開くことにより、中の光ディスクを取り出すことができる。
【０００８】
【発明が解決しようとする課題】
上記ディスクカートリッジにおいて、光ディスクを取り出す方法は、カバー部を開いた状態でカートリッジ全体をひっくり返し、もう一方の手で光ディスクを受け取るか、あるいは、記録面を避け、手の指で光ディスクの中心孔か周縁部を把持して取り出す以外にない。しかしながら、上記構成のディスクカートリッジでは、光ディスクの中心孔あるいは周縁を確実に支持することが困難であり、光ディスクを落としてしまうか、あるいは、ディスク面に指紋、傷等を付けてしまうおそれがある。
【０００９】
この発明は以上の点に鑑みなされたもので、その目的は、ディスクを確実、かつ容易に保持して取り出すことができ、汚れ、傷による記録データの損失、ディスクの信頼性低下を防ぐことが可能なディスクカートリッジを提供することにある。
【００１０】
【課題を解決するための手段】
上記目的を達成するため、この発明の形態に係るディスクカートリッジは、第１ハーフシェルと、この第１ハーフセルに対して開閉自在に設けられた第２ハーフシェルと、を備え、内部に光ディスクを収納している。そして、上記第１ハーフシェルは、上記光ディスクの一方の表面と対向した主壁と、主壁の周縁に沿って立設され上記光ディスクの周縁に対向した側壁と、上記側壁および主壁に形成され、上記光ディスクの周縁を越えて光ディスクの中心側へ延出し、上記光ディスク周縁部の一部を露出した切欠きと、を有している。
【００１１】
また、この発明の他の形態に係るディスクカートリッジによれば、第１ハーフシェルは、上記光ディスクの一方の表面と対向した主壁と、主壁の周縁に沿って立設され上記光ディスクの周縁に対向した側壁と、それぞれ上記側壁および主壁に形成され、上記光ディスクの周縁を越えて光ディスクの中心側へ延出し、上記光ディスク周縁部の一部を露出した一対の切欠きと、を有し、上記一対の切欠きは上記光ディスクの中心の両側に位置している。
【００１２】
上記のように構成されたディスクカートリッジによれば、内部の光ディスクを取り出す際、切欠きを利用して光ディスクの周縁部を手の指で確実に支持することができ、記録面に汚れや傷を付ける危険を回避することができる。
【００１３】
【発明の実施の形態】
以下図面を参照しながら、この発明の実施の形態に係るディスクカートリッジについて詳細に説明する。ここでは、厚さ約１．２ｍｍ、径８０ｍｍの比較的小型の光ディスクを収納したディスクカートリッジについて説明する。
図１ないし図３に示すように、ディスクカートリッジ１０は、ベース部として機能する第１ハーフシェル１４、およびカバー部として機能する第２ハーフシェル１６を有し、第２ハーフシェル１６は、ヒンジ１５により、第１ハーフシェルに対して開閉自在に取り付けられている。ディスクカートリッジ１０は、第２ハーフシェル１６を閉じた状態において、扁平なほぼ円形状をなしている。
【００１４】
第１ハーフシェル１４は、円形の主壁１８とこの主壁の周縁に沿って立設された側壁２０とを一体に有している。主壁１８は光ディスク１２の径よりも僅かに大きな内径を有し、側壁は光ディスク１２の厚さよりも大きな高さに形成されている。そして、光ディスク１２は、主壁１８上で側壁２０の内側に僅かな隙間を持って装着されている。主壁１８には光ディスク１２へアクセスするたのアクセス窓２２が形成され、主壁の中央部から一方の側縁まで帯状に延びている。
【００１５】
更に、第１ハーフシェル１４には収納された光ディスク１２を把持するための一対の切欠き２４が形成されている。各切欠き２４は、側壁２０の一部および主壁１８の周縁の一部を切欠いて形成され、特に、主壁においては、その周縁から中心に向かって例えば凸の円弧状に延出している。これらの切欠き２４は、アクセス窓２２の両側に位置し、主壁１８の中心を間に挟んで対向している。切欠き２４間の間隔は、光ディスク１２の直径よりも小さくなっている。
【００１６】
一方、第２ハーフシェル１６は、切欠きの部分を除き第１ハーフシェル１４とほぼ同様に構成され、円形の主壁３０とこの主壁の周縁に沿って立設された側壁３２とを一体に有している。主壁１８は第１ハーフシェル１４の外径とほぼ等しい径を有し、側壁３２は第１ハーフシェルの側壁２０よりも薄く形成されている。主壁３０には、光ディスク１２へアクセスするたのアクセス窓３３が形成され、主壁の中央部から一方の側縁まで帯状に延びている。
【００１７】
また、側壁３２の内、第１ハーフシェル１４の切欠き２４と対応する部分は、切除され切欠き３４を形成している。これらの切欠き３４は、アクセス窓３３の両側に位置し、主壁３０の中心を間に挟んで対向している。ここで、これらの切欠き３４はほぼ直線状の切欠きとして形成され、切欠き３４間の間隔は光ディスク１２の径以上に設定されている。
【００１８】
第２ハーフシェル１６を閉じ光ディスク１２を収納した状態において、第１および第２ハーフシェル１４、１６の主壁１８、３０は、光ディスク１２を挟んで互いに平行に対向しているとともに、それぞれ光ディスク１２の記録面と対向している。側壁２０は光ディスク１２の周縁に対向している。また、第２ハーフシェル１６の側壁３２は第１ハーフシェル１４の側壁２０外面側に係合している。
【００１９】
アクセス窓２２、３３は、光ディスク１２を間に挟んで対向し、光ディスクの両面の一部および光ディスクの中心孔１３はこれらのアクセス窓を通して外部に露出している。更に、第２ハーフシェル１６の切欠き３４は、それぞれ第１ハーフシェル１４の切欠き２４と重なって位置している。
【００２０】
ディスクカートリッジ１０内において、光ディスク１２は、カートリッジ内面にわずかな隙間を置いた状態で収納され、あるいはディスク外周部の非記録面部分ではカートリッジ内面に接触した状態で収納されている。また、光ディスク１２の外周部の内、第１ハーフシェル１４の切欠き２４と対向する部分は、これらの切欠き２４を通して露出している。
【００２１】
上記のように構成されたディスクカートリッジ１０によれば、光ディスク１２を取出す場合、図２および図３に示すように、第２ハーフシェル１６を上方に回動して開放する。そして、図２に矢印で示すように、一対の切欠き２４の位置で光ディスク１２の周縁部を両側から把持し、光ディスクを第１ハーフシェル１４から取り出す。この際、各切欠き２４は、光ディスク１２の周縁を越えて中心孔１３方向へ延出しているため、これらの切欠き２４を利用して光ディスクの周縁部に指を掛け、光ディスクを確実に把持することができる。
【００２２】
そのため、光ディスクの取出し時、不用意にディスク記録面を触って、指紋などの汚れが付いたり、あるいは、光ディスクを落として記録面に傷や汚が付いてしまうといった不具合を防ぐことができる。同時に、光ディスクの取扱いを容易にすることが可能となる。
【００２３】
なお、この発明は上述した実施の形態に限定されることなく、この発明の範囲内で種々変形可能である。例えば、上述した実施の形態において、第１ハーフシェルに一対の切欠き２４を設ける構成としたが、少なくとも一方の切欠きが設けられていればよい。この場合、例えば、光ディスク１２の取り出し時、切欠き２４の位置で光ディスクの周縁部に指を掛けるととともに中心孔１３に指を掛けることにより、記録面に触ることなく光ディスクを確実に把持することができる。従って、上述した実施の形態とほぼ同様の作用効果を得ることができる。
【００２４】
また、切欠き２４の形状は、円弧状に限らず、三角形状、多角形状等、任意の形状とすることができる。例えば、図４に示すように、切欠き２４は直線状としてよい。但し、この場合においても、各切欠き２４は、光ディスク１４の周縁よりも僅かにディスク中心側へ延出している。そして、光ディスク１４の周縁部は、切欠き２４の位置で僅かに露出し、指を掛けることができる。他の構成は前述した実施の形態と同一であり、同一の部分には同一の参照符号を付してその詳細な説明を省略する。
更に、この発明は、径８０ｍｍの光ディスクに限らず、他の径を有する光ディスクにも適用することができる。
【００２５】
【発明の効果】
以上詳述したように、本発明によれば、ディスクを確実、かつ容易に保持して取り出すことができ、汚れ、傷による記録データの損失、ディスクの信頼性低下を防ぐことが可能なディスクカートリッジを提供することができる。
【図面の簡単な説明】
【図１】この発明の実施の形態に係るディスクカートリッジを示す斜視図。
【図２】開いた状態の上記ディスクカートリッジを示す斜視図。
【図３】開いた状態の上記ディスクカートリッジおよび光ディスクを示す分解斜視図。
【図４】この発明の変形例に他の実施の形態に係るディスクカートリッジを示す平面図。
【符号の説明】
１０…ディスクカートリッジ
１２…光ディスク
１４…第１ハーフシェル
１６…第２ハーフシェル
１８、３０…主壁
２０、３２…側壁
２２、３３…アクセス窓
２４、３４…切欠き
【図１】
2004079014.tif 000003
【図２】
2004079014.tif 000004
【図３】
2004079014.tif 000005
【図４】
2004079014.tif 000006